(57)【特許請求の範囲】
【請求項１】
被加工材をクランプ機構７０によって固定させる裁断盤５３にスリット５４を設け、スリット５４から鋸歯の一部を突出させた丸鋸６０を、スリット５４の両端間で往復動させる様に構成された木材裁断加工機に取付けられる装置であって、スリット５４から所定間隔を隔てて、スリット５４と平行に配設される所定長さの回転軸１と、回転軸１を正・逆方向に回動させる回動手段３及び回動方向の切替手段４と、基端側に回転軸１の嵌着部を有し互いに連接状態で回転軸１の略全長にわたって軸嵌される帯板状のカバー部材２とからなり、カバー部材２は回転軸１の回動により裁断盤に取付けたワークの上端より上方に生じる隙間を塞ぐように回転軸１に軸回りに摺動可能であることを特徴とする木材裁断加工機用の安全装置。
【請求項２】
前記切替手段４は、前記クランプ機構７０のクランプ及びクランプ解除作動に連動して、前記カバー部材２を、鋸歯を被覆する側及び被覆解除側に回動させる様に作動することを特徴とする請求項１記載の木材裁断加工機用の安全装置。
【発明の詳細な説明】
【０００１】
【発明の属する技術分野】
本発明は、被加工材を固定させる裁断盤の略全長にわたって設けたスリットから、鋸歯の一部を突出させた状態で、スリットの両端間を往復動する丸鋸を備えたものに組付けることによって、作業者が誤って回転中の鋸歯に触れる恐れを完全に無くせる木材裁断加工機用の安全装置に関する。
【０００２】
【従来の技術】
当業界で “パネルソー”と呼ばれている、上記のタイプの木材裁断加工機 の、従来の作業安全対策としては、縦向きに配置した裁断盤に被加工材を圧接固定させるクランプ機構に、鋸歯を覆い隠す安全カバーを取付ける方法が採られて来た。
【０００３】
【発明が解決しようとする課題】
ところが、被加工材の厚さが増すに連れて、クランプ機構の全高のうち、被加工材が当てがわれていない上方部分では、クランプ機構に取付けた安全カバーと、裁断盤との間の隙間幅が次第に広くなってしまう。
その為、作業者が作業を急ぐあまり、裁断盤とカバーの上部との間に生じた隙間にうっかり手を挿し込み、高速回転中の鋸歯に触れてしまう可能性が極めて高かった。
【０００４】
そこで、本発明の目的は、“パネルソー”と呼ばれるタイプのものに取付けて用い、被加工材の厚さ寸法の如何に拘わらず、作業者がうっかりして回転中の鋸歯に触れる恐れを確実に無くせる様にした、木材裁断加工機用の安全装置を提供するにある。
【０００５】
【課題を解決するための手段】
上記の目的を達成する為の、本発明による木材裁断加工機用の安全装置は、被加工材をクランプ機構７０によって固定させる裁断盤５３にスリット５４を設け、スリット５４から鋸歯の一部を突出させた丸鋸６０を、スリット５４の両端間で往復動させる様に構成された木材裁断加工機に取付けられる装置であって、スリット５４から所定間隔を隔てて、スリット５４と平行に配設される所定長さの回転軸１と、回転軸１を正・逆方向に回動させる回動手段３及び回動方向の切替手段４と、基端側に回転軸１の嵌着部を有し互いに連接状態で回転軸１の略全長にわたって軸嵌される帯板状のカバー部材２とからなり、カバー部材２は回転軸１の回動により裁断盤に取付けたワークの上端より上方に生じる隙間を塞ぐように回転軸１に軸回りに摺動可能であることを特徴としている。そして、切替手段４は、クランプ機構７０のクランプ及びクランプ解除作動に連動して、前記カバー部材２を、鋸歯を被覆する側及び被覆解除側に回動させる様に作動させるとよい。
【０００６】
【発明の実施の形態】
以下に、本発明の一実施例を、図面を参照しながら説明する。
図１に、本発明の安全装置Ａを、パネルソーＢに取付けた状態を、斜視図として示した。
パネルソーＢの縦向きのベースフレーム５１には、前面下部に、被加工材（以下、ワークＷと言う）を縦向きに載置するローラーコンベア５２を水平向きに設置し、その上方に、ワークＷを立て掛け状態で当接させるパネル状の裁断盤５３を、やや後ろ向きに傾けて取付けている。
【０００７】
裁断盤５３の左右方向の中程の箇所には、図３に示した様に、丸鋸６０の鋸歯の一部を裁断盤５３の前面に突出させる為のスリット５４を、その全高にわたって設けている。
図示は省いたが、裁断盤５３の背後には、既存のパネルソーと同様に、丸鋸６０をスリット５４に沿って上下に往復動させる為のガイドレール、駆動機構等が組付けられている。
【０００８】
スリット５４の前面には、ワークＷを裁断盤５３に押し付けて固定させる、公知のクランプ機構７０を組付けている。
その構成は、ベースフレーム５１の上下両端間に跨設した縦通フレーム７１の内側に、ワークＷを押さえ付けるバー状の当接部材７２を、上下１組の締結用レバー７３，７３を介して組付けている。
両締結用レバー７３は、エアシリンダー７４の往復動が、連動杆７５を介して伝えられることにより、当接部材７２を、裁断盤５３に当てがったワークＷに対して接・離動させる様になっている。
【０００９】
次に、安全装置Ａの構造を、図２〜図４も参照しながら説明する。
この安全装置Ａの概略の構成は、スリット５４から所定間隔を隔てた前面箇所に、このスリットと平行状に配設した回転軸１と、裁断盤５３の前面に突出した鋸歯を覆う為に、回転軸１に軸嵌したカバー部材２と、回転軸１を正・逆方向に回動させる回動手段としてのエアーアクチュエータ３と、その回動方向の切替手段としての、電磁エアー切替弁４とを備えている。
この実施例では、図２に示した様に、安全装置Ａはクランプ機構７０の左右両側に夫々組付けている。図中の８０は、パネルソーＢの操作パネルである。
【００１０】
図３に示した様に、縦通フレーム７１よりは短い回転軸１は、その下端を、ローラコンベア５２のフレームに取着した下側ブラケット５の軸孔５ａに遊嵌させ、上端部は、縦通材７１に取着した上側ブラケット６の軸孔６ａに遊嵌させている。
下側ブラケット５の下面には、回転軸１の回動手段としてのエアーアクチュエータ３を取着し、図では見えないその回動軸を、回転軸１の下端に連結させている。
【００１１】
カバー部材２は、図４に示した様に、所定長さの帯板材から成り、その基端側の一半部分を二股に分岐させた形状のカバーユニット２ａの多数個を、上下に連接させた形態を備えている。
そして、二股部分の各先端内側には、回転軸１を摺接状態で弾力的に挟持（軸嵌）させる為の、挟持用円弧面ａを設けている。
【００１２】
次に、上記構成の作用を、主として図３，４を参照しながら説明する。
電磁エアー切替弁４は、クランプ機構７０のクランプ及びクランプ解除作動に連動して、カバー部材２を、鋸歯を被覆する側及び被覆解除側に回動させるべく、回転軸１を正・逆方向に切替回転させる様に構成されている。
又、丸鋸６０の鋸歯は、裁断作動を終えて原位置に復帰動する時には、裁断盤５３の盤面から引っ込められる様になっている。
【００１３】
その為、丸鋸６０をスリット５４に沿って上昇させた状態で、図１に示した様に、ワークＷを裁断盤５３の前面の所定位置にセットする作業時には、カバー部材２は、必ず、裁断盤台５３の盤面から遠ざけた、例えば、図４に示した位置に自ずから回動されている。従って、カバー部材２が、ワークＷのセット作業を妨げることはない。尚、この場合のワークＷは複数枚の合板を重ね合わせたもので、カバー部材２の背丈は、ワークＷのそれより高くなる様に設定されている。
【００１４】
上記のセット作業を終えたら、操作パネル８０によってクランプ機構７０をクランプ側に作動させると、それに連動して電磁エアー切替弁４が作動し、カバー部材２は、上記とは逆向きの鋸歯を覆う側に自づから回動される。
【００１５】
その為、図３に示した様に、回転軸１と共に回動された各カバーユニット２ａ群のうち、ワークＷと対向して位置する各カバーユニット２ａは、ワークＷに当接することによって回動を停止され、この位置に留まる。
そして、この回動停止したカバーユニット２ａ群の上方に位置するカバーユニット２ａ群は更に回動を続け、裁断盤５３に当接した時に始めて回動を止められる。
【００１６】
この様になれば、裁断台５３の前面に突出状態で高速回転しつつある危険な鋸歯は、 図３から理解される様に、カバー部材２によって、作業者の指一本も挿し込む余地の無い状態で覆い隠されてしまう。
尚、カバー部材２は、裁断作業中の作業者が手を延ばす可能性のある高さ位置迄設けられている。
【００１７】
ワークＷの裁断を終えても、丸鋸６０がカバー部材２の上端迄上昇するか、丸鋸６０の回転を止めない限りは、カバー部材２は、回転しつつある歯を覆い隠す回動位置に保持される。
裁断を終えて、クランプ機構７０を、操作パネル８０によってクランプ解除側に作動させると、カバー部材２は、鋸歯の被覆を解除する側に自づから回動されて、裁断作業の１サイクルが完了する。
【００１８】
尚、上記構成に於いて、細部の構造は適宜に設計変更して本発明の目的は達成される。
例えば、回動手段として、エアーアクチュエータ３に代えて、電動モータを用いてもよい。
【００１９】
又、カバー部材２の形状は、勿論図示に限られず、ワークＷやクランプ機構７０等の形態や構造に応じて、これに適合する様に適宜に変えればよい。
【００２０】
【発明の効果】
以上の説明によって明らかな様に、本発明による木材裁断加工機用の安全装置は、以下に列挙した如き実用上の優れた効果を奏する。
（ａ）  被加工材の長さや厚み寸法が変わっても、安全装置を調整する手間を要せずに、回転中の鋸歯を覆い隠す役目を確実に果たしてくれる。
（ｂ）  カバー部材による鋸歯の被覆及び被覆解除作動を、クランプ機構の動きに連動させることによって、安全性を確保しながら、裁断作業の効率を大幅に高められる。
（ｃ）  既存のパネルソーに、簡単に取付けられる。
【図面の簡単な説明】
【図１】本発明の一実施例を示すもので、パネルソーに安全装置を取り付けた状態の斜視図である。
【図２】同上、図１の要部の正面視図である。
【図３】同上、安全装置の作用を説明する為の斜視図である。
【図４】同上、カバー部材の構成を示した斜視図である。
【符号の説明】
Ａ  安全装置
Ｂ  パネルソー
１  回転軸
２  カバー部材
２ａ  カバーユニット
ａ  挟持用円弧面
３  エアーアクチュエータ（回動手段）
４  電磁エアー切替弁（切替手段）
５１  ベースフレーム
５２  ローラーコンベア
５３  裁断盤
５４  スリット
６０  丸鋸
７０  クランプ機構
７１  縦通フレーム
７２  当接部材
７３  押圧レバー
７４  エアシリンダー
７５  連動杆
８０  操作パネル
【図１】
0004216915.tif 000002
【図２】
0004216915.tif 000003
【図３】
0004216915.tif 000004
【図４】
0004216915.tif 000005